(57)【要約】【課題】本発明は、流体噴出装置等に使用される調圧ノブの固定手段であり、従来の係止手段では係合手段との位置合わせに高精度な仕上がりが必要であって部品の加工・製造とこれらの組立にコストが嵩むことが課題であって、それを解決することである。【解決手段】流体を所定の圧力に調圧して供給する減圧弁の構造における調圧ノブの固定手段１であって、調圧ノブと減圧弁本体部との間に亘って設けられるデテント機構３は、一方側に係合手段と該係合手段を一方向に突出させる付勢手段とが内包されて設けられ、他方側に前記係合手段を係止するための係止手段が設けられてなり、前記係止手段８が、長穴状のスリット、若しくは、長い凹溝である調圧ノブの固定手段１としたことである。【選択図】図１
2016156484.tif 000002
【特許請求の範囲】
【請求項１】
流体を所定の圧力に調圧して供給する減圧弁の構造における調圧ノブの固定手段であって、
調圧ノブと減圧弁本体部との間に亘って設けられるデテント機構は、一方側に係合手段と該係合手段を一方向に突出させる付勢手段とが内包されて設けられ、他方側に前記係合手段を係止するための係止手段が設けられてなり、
前記係止手段が、長穴状のスリット、若しくは、長い凹溝であること、
を特徴とする調圧ノブの固定手段。
【請求項２】
スリット若しくは凹溝は、調圧ノブが減圧調整用に回転させる回転方向に対して直交する方向に細長く穿設され若しくは刻設されていること、
を特徴とする請求項１乃至に記載の調圧ノブの固定手段。
【発明の詳細な説明】
【技術分野】
【０００１】
本発明は、圧縮空気、高圧ガス等の流体を所定の圧力に調圧して供給する調圧ノブの固定手段に関するものである。
【背景技術】
【０００２】
従来、所定の圧力に瞬時に調圧可能な減圧弁の構造として、図４乃至図６に示すような調圧ノブをある一定の位置で固定できるものがある。
【０００３】
前記減圧弁の構造の概要を説明すると、調圧ノブ２０にいわゆるデテント機構（戻り防止機構）２１が備わっており、例えば、調圧ノブ２０側に設けられた凹部内に、バネ２２で付勢された球体２３が収納され、前記球体２３が減圧弁本体２４側の係止手段（凹部）２５に係合し、調圧ノブ２０を所定の位置で固定する。これにより、吐出口２６から噴霧される香水・化粧水等の流体を、所定の圧力に瞬時に調圧可能とするものである。
【０００４】
前記減圧構造の減圧弁は、例えば炭酸ガス等の、ボンベに充填された高圧ガス流体を瞬時に所定の圧力に調圧して噴霧する、流体噴出装置等に使用されている。
【０００５】
しかしながら、前記従来の減圧弁の構造は、調圧ノブ２０に備わったデテント機構２１に設けられた、係合手段の為のバネ２２で付勢された球体２３を、減圧弁本体２４側に設けられた、前記球体２３を係止するための係止手段２５、即ち、ドリル等で加工された丸い窪み２５に、前記球体２３を係止することにより固定する構造となっている。
【０００６】
そのため、前記調圧ノブ２０のデテント機構２１の球体２３の位置と、前記減圧弁本体２４側に加工された係止手段２５である丸い窪みの位置を正確に合致させなければならず、調圧ノブ２０の部品寸法及び、減圧弁本体２４の部品寸法の精度の規制が厳しいものとなる。
【０００７】
また、組付け作業においても専用の冶具が必要になる等、部品のコスト面、組立作業性において効率が悪く、組付け不良により、調圧ノブが所定の位置で固定されない等の不具合も発生していた。
【先行技術文献】
【特許文献】
【０００８】
【特許文献１】特開２００２−３７３９４号公報
【発明の概要】
【発明が解決しようとする課題】
【０００９】
前記先行技術文献には調圧ノブを所定の位置で固定する手段として、図７に示すように、ボディ本体側に設けられた傾斜面２８Ａを有してバネ２９で外側に向けて付勢される係合ピン２８が、キャップ４０に設けられた凹溝４０Ａ、ガイド溝４０Ｂに係合される形で固定される構造が開示されており、部品の寸法精度、組付け作業においては、キャップ４０の回転方向においては特に厳しい規制を必要としないが、上下方向においては上記従来例と同様に、部品寸法の精度の規制が厳しいものであるという課題がある。本発明に係る調圧ノブの固定手段は、このような課題を解決するために提案されたものである。
【課題を解決するための手段】
【００１０】
本発明に係る調圧ノブの固定手段の上記課題を解決して目的を達成するための要旨は、
流体を所定の圧力に調圧して供給する減圧弁の構造における調圧ノブの固定手段であって、調圧ノブと減圧弁本体部との間に亘って設けられるデテント機構は、一方側に係合手段と該係合手段を一方向に突出させる付勢手段とが内包されて設けられ、他方側に前記係合手段を係止するための係止手段が設けられてなり、前記係止手段が、長穴状のスリット、若しくは、長い凹溝であることである。
【００１１】
前記スリット若しくは凹溝は、調圧ノブが減圧調整用に回転させる回転方向に対して直交する方向に細長く穿設され、若しくは、刻設されていることを含むものである。
【発明の効果】
【００１２】
本発明の調圧ノブの固定手段によれば、圧縮空気、高圧ガス等の流体を所定の圧力に調圧して供給する減圧弁の、所定の圧力に瞬時に調圧可能な減圧弁の構造において、従来の球体を係止するために丸い窪みに前記球体を係止して固定する構造に比べて、係止手段を係合する際の位置決めの自由度が増し、部品製作時、組付け作業時における厳しい規制を不要とし、部品のコスト削減、組立作業性の向上、組付け不良による不具合を改善することができる。
【００１３】
また、本発明の調圧ノブの固定手段によれば、減圧弁の調圧ノブの固定手段に限らず、切替弁、止め弁、流量制御弁、残圧排気弁等の、各種流体制御機器においても利用できると言う優れた効果を奏するものである。
【図面の簡単な説明】
【００１４】
【図１】本発明に係る調圧ノブ２の固定手段１の縦断面図である。
【図２】同本発明に係る調圧ノブ２側のデテント機構３を示す側面図（Ａ）、減圧弁本体７側の係止手段８を示す一部側面図（Ｂ）である。
【図３】同本発明に係る調圧ノブ２と減圧弁本体７との組立体の側面図（Ａ）、その一部拡大側面図（Ｂ）、係止手段８の断面図（Ｃ）である。
【図４】従来例に係るガスボンベ用減圧弁の構造を示す縦断面図である。
【図５】同従来例に係る調圧ノブ２０側のデテント機構２１を示す側面図（Ａ）、減圧弁本体２４側の係止手段２５を示す一部側面図（Ｂ）である。
【図６】同従来例に係る調圧ノブ２０と減圧弁本体２４との組立体の側面図（Ａ）、その一部拡大側面図（Ｂ）である。
【図７】同従来例に係るデテント機構の一部拡大横断面図である。
【発明を実施するための形態】
【００１５】
本発明に係る調圧ノブの固定手段１は、図１乃至図３に示すように、圧縮空気、高圧ガス等の流体を所定の圧力に瞬時に調圧可能な減圧弁の構造において、調圧ノブ２に備わったデテント機構３における係合手段５である球体を係止するために設けられた、減圧弁本体側の係止手段８を長穴状のスリットにするものである。
【実施例１】
【００１６】
本発明に係る調圧ノブの固定手段１は、高圧ガス等の流体を所定の圧力に調圧して供給する減圧弁の構造における、調圧ノブ２を所定の位置に位置固定する固定手段である。
【００１７】
図１に示すように、前記調圧ノブ２には、当該調圧ノブ２と減圧弁本体部７との間に亘って設けられるデテント機構（戻り防止機構）３がある。具体的には、一方側、例えば、調圧ノブ２側に、係合手段５である球体と、該係合手段５を一方向に突出させる付勢手段４としてのバネとが、調圧ノブ２の周壁に設けられる凹部６に内包されて設けられている。
【００１８】
また、他方側、例えば、減圧弁本体７側に、前記係合手段５を回転移動状態から停止させて位置決めさせて係止するための、係止手段８が設けられている。この係止手段８が、長穴状のスリット、若しくは、長い凹溝にして形成されている。なお、前記デテント機構３における係合手段５と係止手段８とが逆側に設けられて構成される場合もある。
【００１９】
前記スリット、若しくは、凹溝は、図３（Ｂ）に示すように、調圧ノブ２が減圧調整用に回転させる回転方向ｂに対して直交する方向ａに、細長く穿設され、若しくは、刻設されている。なお、前記スリット若しくは凹溝のそれぞれ幅は、設定事項で有り、また、前記凹溝は、例えば、角型、Ｖ型溝、Ｕ型溝、半円型溝、楕円型溝などである。
【００２０】
なお、前記デテント機構３に設けられた、係合手段５である球体の材質は、スチールボールの様な金属性の物でも良いし、耐磨耗性に優れた樹脂製の物でもよい。また、係合手段５は、形状において球体に限らず、ピンの様な棒形状のものでもよい。
【００２１】
このように、本発明に係る調圧ノブの固定手段１を形成することで、例えば、調圧ノブ２を所定方向に９０°、若しくは、１８０°回転させると、デテント機構３における係合手段５の球体が付勢手段４で半径方向の内側に押し出され、減圧弁本体７側の係止手段８に落ち込んで、調圧ノブ２の回転が停止して、位置決めされる。
【００２２】
それにより、前記調圧ノブ２の回転と共に押し下げられて調圧バネ１１の押圧力が調整され、ピストン１２及び該ピストン１２を押し上げるバルブ１４が、バルブ戻し用のバネ１５の付勢力に抗して共に押し下げられ、バルブシート１３とバルブ１４上部との間に隙間が生じる。その隙間から、ガスボンベ１８から開栓ピン１７を経て供給されている高圧ガスが上に流入して吐出口９から噴射される。
【００２３】
このように、前記デテント機構３では、係止手段８が、上下方向に長いスリット、若しくは凹溝なので、係合手段５の球体が確実に落ち込んで係止する。前記係合手段５の球体に対する、係止手段８における上下方向（ａ）の位置合わせの精度を高める必要が無い。
【００２４】
それにより、調圧ノブ２と減圧弁本体７との部品製作時、組付け作業時における厳しい規制を不要とし、部品のコスト削減、組立作業性の向上、組付け不良による不具合を改善するものである。
【産業上の利用可能性】
【００２５】
本発明に係る切替弁、止め弁、流量制御弁、残圧排気弁等の、各種流体制御機器においても利用できると言う優れた効果を奏するものである。
【符号の説明】
【００２６】
１          調圧ノブの固定手段、
２          調圧ノブ、
３          デテント機構、
４          付勢手段（バネ）、
５          係合手段（球体）、
６          凹部、
７          減圧弁本体、
８          係止手段（スリット）、
９          吐出口、
１０        バネ受け、
１１        調圧バネ、
１２        ピストン、
１３        バルブシート、
１４        バルブ、
１５        バルブ用バネ、
１６        フィルタ、
１７        開栓ピン、
１８        ガスボンベ、
２０        従来例の調圧ノブ、
２１        従来例のデテント機構、
２２        バネ、
２３        球体、
２４        減圧弁本体、
２５        係止手段、
２８        係合ピン、                      ２８Ａ      傾斜面、
２９        バネ、
４０        キャップ、                      ４０Ａ      凹溝、
４０Ｂ      ガイド溝。
【図１】
2016156484.tif 000003
【図２】
2016156484.tif 000004
【図３】
2016156484.tif 000005
【図４】
2016156484.tif 000006
【図５】
2016156484.tif 000007
【図６】
2016156484.tif 000008
【図７】
2016156484.tif 000009